(57)【要約】【課題】  落下時にロックが外れることを防止することができるとともに、収納部に蓋部とを係合させるロック操作を容易に行えるテープカセット用収納ケースを提供する。【解決手段】  磁気テープカセットＣを収納する収納部１１と、収納部１１を囲む外板１３，１４，１５を有する蓋部１２と、収納部１１に蓋部１２を開閉可能に連結するヒンジ板部１６と、蓋部１２の外板１３の外側面に形成された係合部３６と、収納部におけるヒンジ板部１６と反対側の端縁部に形成されたロック片基端部４２と、ロック片基端部４２にヒンジ部１８を介して支持され、係合部３６に係合可能なロック片１７とを備え、ロック片基端部４２が端縁部４０の他の部位より収納部１１側に窪んだ構成とする。【選択図】  図２
2005350125.tif 000002
【特許請求の範囲】
【請求項１】
磁気テープカセットを収納する収納部と、
前記収納部を囲む外板を有する蓋部と、
前記収納部に前記蓋部を開閉可能に連結するヒンジ板部と、
前記蓋部の前記外板の外側面に形成された係合部と、
前記収納部における前記ヒンジ板部と反対側の端縁部に形成されたロック片基端部と
前記ロック片基端部にヒンジ部を介して支持され、前記係合部に係合可能なロック片とを備え、
前記ロック片基端部が、前記端縁部の他の部位より収納部側に窪んだ構成であることを特徴とするテープカセット用収容ケース。
【請求項２】
前記ロック片基端部が、前記収納部の前記端縁部の一部をＣ面取りすることで形成されていることを特徴とする請求項１に記載のテープカセット用収容ケース。
【請求項３】
前記ロック片基端部が、前記収納部の前記端縁部の一部に段差を設けることで形成されていることを特徴とする請求項１に記載のテープカセット用収納ケース。
【発明の詳細な説明】
【技術分野】
【０００１】
本発明は、放送局で磁気テープカセットを収納して保護するのに用いられるテープカセット用収納ケースに関する。
【背景技術】
【０００２】
一般に、放送局で用いられるテープカセットは、市販のビデオテープカセットなどに比較して大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の収納ケースに収納される。
【０００３】
このような従来のテープカセット用収納ケースの一例として、収納部と、蓋部と、ヒンジ部と、からなるテープカセット用収納ケースが知られている（例えば、特許文献１参照）。
【０００４】
図４は、従来のテープカセット用収納ケースを示す図である。
図４に示すように、従来のテープカセット用収納ケース７０は、ハードタイプのケース本体を有し、ケース本体が、四側壁７２を有する収納部７１と、三側壁７４を有する蓋部７３と、収納部７１の底面板７５及び蓋部７３の天面板７６とがヒンジ７７，７８によって接続され、該蓋部７３を閉じた状態で蓋部７３の一側壁になる連接部７９と、からなる。
【０００５】
蓋部７３の内部において、連接部７９とは反対側の正面側の側壁７４の両端部には鉤部８１を備えた側壁ロック部８０が形成されている。鉤部８１は蓋部７３を閉じた時に、収納部７１の側壁７２に形成されている係止穴８２に係止される。
【０００６】
また、テープカセット用収納ケース７０には、連接部７９とは反対の正面側に、外周縁部８３とヒンジを介して連結するようにサイドロック部８４が設けられている。サイドロック部８４は、収納部７１の底面板７５に連結され、フラップ板８５が設けられており、閉じられた蓋部７３の側壁７４に重ね合わされた時に、フラップ板８５に形成されている鉤部８６が蓋部７３の側壁７４の外表面の係止部（不図示）に係止されてロックされる。
【０００７】
【特許文献１】特開２００２−１７９１７６号公報
【発明の開示】
【発明が解決しようとする課題】
【０００８】
ところが、テープカセット用収納ケース７０では、サイドロック部８４がロックされたテープカセット用収納ケース７０が落下した際に、その衝撃が外周縁部８３とサイドロック８４との境界部分に加わって該サイドロック８４に撓みが生じ、サイドロック部８４が係止部から外れ、収納されている磁気テープカセットが飛び出して磁気テープカセットが損傷することがあった。
【０００９】
本発明は、上述した事情に鑑みてなされたものであり、その目的は、落下時にロックが外れることを防止することができるテープカセット用収納ケースを提供することにある。
【課題を解決するための手段】
【００１０】
本発明の上記目的は、磁気テープカセットを収納する収納部と、前記収納部を囲む外板を有する蓋部と、前記収納部に前記蓋部を開閉可能に連結するヒンジ板部と、前記蓋部の前記外板の外側面に形成された係合部と、前記収納部における前記ヒンジ板部と反対側の端縁部に形成されたロック片基端部と前記ロック片基端部にヒンジ部を介して支持され、前記係合部に係合可能なロック片とを備え、前記ロック片基端部が、前記端縁部の他の部位より収納部側に窪んだ構成であることを特徴とするテープカセット用収容ケースによって達成される。
【００１１】
上記のテープカセット用収容ケースによれば、収納部の端縁部に形成されたロック片基端部が、端縁部の他の部位より収納部側に窪んだ位置に設けられる。すると、ロック片が係合部にロックされているテープカセット用収納ケースが落下した際に、衝撃が端縁部に加わったとしても、ロック片基端部に直接加わることを防止することができる。このため、落下の衝撃によってロック片に撓みが生じることを防止することができ、ロック片が係合部から外れることを防止できる。
【００１２】
上記テープカセット用収納ケースは、ロック片基端部が、前記収納部の前記端縁部の一部をＣ面取りすることで形成されていることが好ましい。また、ロック片基端部が、前記収納部の前記端縁部の一部に段差を設けることで形成されていることが好ましい。
【００１３】
こうすれば、ロック片基端部を、収納部側に逃げた位置に簡単な構成によって設けることができる。また、このような構成によれば、テープカセット用収納ケースを金型で一体成形する際に、アンダーカットが生じることを回避することができる。
【発明の効果】
【００１４】
本発明によれば、落下時にロックが外れることを防止することができるテープカセット用収納ケースを提供できる。
【発明を実施するための最良の形態】
【００１５】
以下、本発明に係る好適な実施の形態例を図面に基づいて詳細に説明する。図１は、本発明に係るテープカセット用収納ケースの第１実施形態を示す斜視図である。図２は、図１に示すテープカセット用収納ケースのＡ−Ａ線断面図である。
【００１６】
図１に示すように、テープカセット用収納ケース１０は、磁気テープカセットＣを収納する収納部１１と、この収納部１１を囲む外板１３，１４，１５を有する蓋部１２と、収納部１１及び蓋部１２を開閉可能に連結するヒンジ板部１６と、ヒンジ部１８を介して収納部１１に対して可動に連結されたロック片１７と、が一体成形で構成されている。テープカセット用収納ケース１０は、ポリプロピレン（ＰＰ）等の高分子樹脂を材料として成形されている。
【００１７】
収納部１１の底板１９の外縁部には、周囲を囲んで配された周板２０，２１，２２，２３が立設されている。周板２０は収納部１１の正面側に配され、周板２１は収納部１１の背面側に配され、周板２２，２３は収納部１１の左・右面側に配されている。周板２０，２１，２２，２３の中央部には、高さが低くなるように切除された凹部２４，２５，２６，２７がそれぞれ形成されている。
【００１８】
収納部１１には、底板１９の中央部に、一対のリール係止リブ２８が形成されている。リール係止リブ２８は、スリットによって周方向に複数に分割された円筒形状を有する。リール係止リブ２８に磁気テープカセットＣに有する巻取ハブ（不図示）を挿入することにより、磁気テープカセットＣを収納部１１に位置決めする。
【００１９】
収納部１１には、周板２０の前面における凹部２４の両側に、第１の係合部３０がそれぞれ形成されている。ヒンジ板部１６側に位置する外板１３の内面側両端部には、第１の係止部３１が形成されている。蓋部１２が閉じられる際に、第１の係合部３０と第１の係止部３１とが係合するように構成されている。
【００２０】
蓋部１２には、天板３２の外縁部に周囲の三方を囲んで配された外板１３，１４，１５が、天板３２上に直立して形成されている。蓋部１２を収納部１１に被せた状態で、外板１３が収納部１１の正面に位置するよう形成され、外板１４，１５が収納部１１の両側面に位置するように形成されている。
【００２１】
蓋部１２には、対向配置された外板１４，１５の内側に、高さの高い四角柱形状の角ボス３３が形成されている。角ボス３３は、蓋部１２が収納部１１に対して閉じられた際に、収納部１１の周板２２，２３の外側面と蓋部１２の外板１４，１５の内側面との間に位置するように設けられ、閉じられた蓋部１２が適正な位置になるように案内する。
【００２２】
蓋部１２には、外板１３における外側略中央に、第２の係合部３６が形成されている。第２の係合部は、後述するロック片１７の第２の係止部４４と係合される。
【００２３】
ヒンジ板部１６は、収納部１１と蓋部１２との間に、板形状に形成されている。ヒンジ板部１６における、収納部１１と蓋部１２に連結する縁辺には、ヒンジ３４，３５が形成されている。一方のヒンジ３４は、収納部１１の底板１９の一辺に連結されており、他方のヒンジ３５は、蓋部１２の天板３２の一辺に連結されている。
【００２４】
収納部１１の周板２０の端縁部４０における略中央には、台形形状を有する板状のロック片１７が連結されている。
【００２５】
図２に示すように、収納部１１の周板２０には、下端部外面に沿って端縁部４０が突設されている。端縁部４０における略中央には、略中央から水平に延設された延設部４１と、延設部４１の先端部（図２中、左端部）から左斜め上方へ約４５°の角度を以って立設されたロック片基端部４２とが設けられる。
【００２６】
本実施形態において、ロック片基端部４２は、左斜め上方へ約４５°に傾斜するようにＣ面取りされた外面を有し、周板２０の端縁部４０における他の部位４３より収納部１１側に窪んだ構成とする。
【００２７】
ロック片１７は、ロック片基端部４２における、延設部４１とは反対側の端部にヒンジ部１８を介して連接されている。ロック片１７は、図２の矢印Ｒで示すように、周板２０側へ折り畳むように傾けることができる構成である。ロック片１７のおける先端部には、周板２０側に折り畳んだ状態で、蓋部１２の第２の係合部３６と係合する第２の係止部４４が形成されている。
【００２８】
テープカセット用収納ケース１０は、蓋部１２が収納部１１に対して図１中の矢印方向に閉じられることにより、第１の係合部３１に第１の係止部３２がそれぞれ係合されてロックした後に、さらに、ロック片１７がヒンジ部１８を介して図１中の上方に向けて立ち上げることにより、ロック片１７の第２の係止部４４が蓋部１２の第２の係合部に係合されてロックする、所謂、ダブルロックする構成である。
【００２９】
本実施形態のテープカセット用収納ケース１０では、ロック片１７を連結される収納部１１の端縁部４０のロック片基端部４２が、端縁部４０における他の部位４３に対して、収納部１１側に窪むように構成されている。すると、ロック片１７が蓋部１２の係合部３６にロックされている状態でテープカセット用収納ケース１０が落下した際に、端縁部４０に図２中矢印Ｂで示す方向の衝撃が加わったとしても、ロック片基端部４２に直接加わることを防止することができる。このため、落下の衝撃によってロック片１７に撓みが生じることを防止することができ、ロック片１７が係合部３６から外れることを防止できる。したがって、落下時にロックが外れ難くすることができ、収納部１１から磁気テープカセットＣが飛び出して損傷することを防止できる。
【００３０】
図３は、本発明に係るテープカセット用収納ケースの第２実施形態を示すロック片周りの断面図である。
図３に示すように、テープカセット用収納ケース５０において、周板２０の端縁部６０には、延設部５１の端部から上方へ略垂直に立設された垂直部６１と、垂直部６１の上端部から水平に延設された水平部６２とが形成されている。水平部６２における、垂直部６１とは反対側の端部にヒンジ部１８を介してロック片１７が連接されている。本実施系形態のテープカセット用収納ケース５０では、垂直部６１と水平部６２とがロック片基端部を構成する。
【００３１】
端縁部６０には、垂直部６１及び水平部６２によって収納部１１の内側に断面視凹状となる段差が形成されており、垂直部６１及び水平部６２が、周板２０の端縁部６０における他の部位６３に対して、収納部１１側に逃げる位置に設けられている。
その他の構成及び作用については、上記第１実施形態と同様である。
【００３２】
具体的には、本実施形態のテープカセット用収納ケース５０において、収納部１１の端縁部６０は、垂直部６１及び水平部６２によって収納部１１の内側に断面視凹状の段差となるように形成されており、垂直部６１及び水平部６２が、周板２０の端縁部６０における他の部位６３に対して、収納部１１側に窪んだ構成である。
【００３３】
したがって、ロック片１７の第２の係止部４４が蓋部１２の第２の係合部にロックされている状態で、テープカセット用収納ケース５０が落下しても、落下の衝撃が、収納部１１の垂直部６１及び水平部６２に直接加わることを防止できる。このため、落下の衝撃がロック片１７に伝わることはなく、ロック片１７の撓みによって該ロック片１７が第２の係止部４４から外れてしまうことをより確実に防止することができる。
【００３４】
なお、本発明は、前述した実施形態に限定されるものではなく、適宜、変形、改良等が可能である。
例えば、ロック片１７の形状は、上記実施形態のように平面視で台形形状とする構成に限定されることはなく、例えば、四角形や半円形状であってもよい。
【図面の簡単な説明】
【００３５】
【図１】本発明に係るテープカセット用収納ケースの第１実施形態を示す開状態の外観斜視図である。
【図２】図１に示したテープカセット用収納ケースのロック片周りの断面図である。
【図３】本発明に係るテープカセット用収納ケースの第２実施形態を示すロック片周りの断面図である。
【図４】従来のテープカセット用収納ケースの開状態の外観図である。
【符号の説明】
【００３６】
１０，５０        テープカセット用収納ケース
１１              収納部
１２              蓋部
１３，１４，１５  外板
１６              ヒンジ板部
１７              ロック片
１８              ヒンジ部
２０              周板
４０              端縁部
４２              ロック片基端部
４３              周板の端縁部における他の部位
６０              端縁部
６１              垂直部
６２              水平部
Ｃ                磁気テープカセット
【図１】
2005350125.tif 000003
【図２】
2005350125.tif 000004
【図３】
2005350125.tif 000005
【図４】
2005350125.tif 000006